(57)【要約】【課題】扉を完全に閉鎖しないようにする扉に内蔵される扉の閉鎖防止アタッチメント、さらに扉の閉鎖防止アタッチメントを備える扉を提供する。【解決手段】扉側面から突出し操作されるレバーと、前記扉内部に内蔵され前記レバーの動作をストッパーに伝達する伝達部材と、前記伝達部材の動きに応じて前記扉から突出するとともに、前記扉の閉鎖動作のとき扉アより先に枠に当接し、前記扉の完全閉鎖を阻止するストッパーと、からなることを特徴とする扉の閉鎖防止アタッチメントとした。【選択図】図３
2016094710.tif 000002
【特許請求の範囲】
【請求項１】
扉側面から突出し操作されるレバーと、
前記扉内部に内蔵され前記レバーの動作をストッパーに伝達する伝達部材と、
前記伝達部材の動きに応じて前記扉から突出するとともに、前記扉の閉鎖動作のとき扉より先に枠に当接し、前記扉の完全閉鎖を阻止するストッパーと、
からなることを特徴とする扉の閉鎖防止アタッチメント。
【請求項２】
前記ストッパーが、前記扉内部に内蔵され、前記扉に穿設された開口から突出することを特徴とする請求項１に記載の扉の閉鎖防止アタッチメント。
【請求項３】
前記ストッパーが突出し、枠に当接した際の当接力の方向と直交する板材を、前記ストッパーの末端部に備えることを特徴とする請求項１又は請求項２に記載の扉の閉鎖防止アタッチメント。
【請求項４】
前記レバーの取手が、前記扉の両側面に備えられ、前記扉の内外側のいずれからも前記レバーを操作できることを特徴とする請求項１〜請求項３の何れかに記載の扉の閉鎖防止アタッチメント。
【請求項５】
作用時に、前記レバーの位置を係止する保持手段を備えることを特徴とする請求項１〜請求項４の何れか１項に記載の扉の閉鎖防止アタッチメント。
【請求項６】
前記伝達部材を位置決めするガイドを前記扉内に備えることを特徴とする請求項１〜請求項５の何れか１項に記載の扉の閉鎖防止アタッチメント。
【請求項７】
前記ストッパーの移動をガイドするとともに位置決めする板バネを前記扉内に備え、前記板バネは、前記扉内に固定され前記ストッパーにバネ付勢を与える本体と、前記本体の先端に位置し前記ストッパーの底部に当接し移動をスムーズにするカーブとからなることを特徴とする請求項１〜請求項６の何れか１項に記載の扉の閉鎖防止アタッチメント。
【請求項８】
前記ストッパーの先端は、弾性体で、前記扉の上面板に接触する部分は湾曲させたことを特徴とする請求項１〜請求項７の何れか１項に記載の扉の閉鎖防止アタッチメント。
【請求項９】
前記ストッパーの湾曲には、摩耗しにくく、前記弾性体より摩擦係数の低い保護材で被覆されたことを特徴とする請求項８に記載の扉の閉鎖防止アタッチメント。
【請求項１０】
前記扉に前記ストッパーの出し入れ開口を備え、前記ストッパーの出し入れに伴い前記開口を開閉する目隠しを備えることを特徴とする請求項１〜請求項９の何れか１項に記載の扉の閉鎖防止アタッチメント。
【請求項１１】
前記ストッパーが、段階的に係止できる長さ伸縮自在としたことを特徴とする請求項１〜請求項１０の何れか１項に記載の扉の閉鎖防止アタッチメント。
【請求項１２】
請求項１〜請求項１１の何れか１項に記載の扉の閉鎖防止アタッチメントを備えることを特徴とする閉鎖防止アタッチメントを備える扉。
【請求項１３】
扉側面から突出し操作されるレバーと、
前記レバーの動作を伝達する前記扉内部に内蔵された伝達部材と、
前記伝達部材の動きに応じて、前記扉の上、又は／及び下が枠側に折れ曲がり、前記扉の上面又は／及び底面が前記枠に当接し、前記扉の完全閉鎖を阻止するストッパーと、
からなることを特徴とする閉鎖防止アタッチメントを備える扉。
【請求項１４】
請求項１２又は請求項１３に記載の閉鎖防止アタッチメントを備える扉と、
前記ストッパーの当接部に磁石が内蔵された枠と、
先端が平坦で内部に磁石を備えた前記ストッパーと、
からなり、
前記扉の開放度を維持することを特徴とする閉鎖防止アタッチメントを備える扉ユニット。
【発明の詳細な説明】
【技術分野】
【０００１】
本発明は、開閉式のドア或いは引き戸（以下、単に「扉」という）を完全に閉鎖しないようにする扉に内蔵される扉の閉鎖防止アタッチメントに関し、さらに、扉の閉鎖防止アタッチメントを備える扉に関する。
【背景技術】
【０００２】
扉の閉鎖防止として、例えば、特許文献１、２などが公開されている。特許文献１の発明は、ドアの閉鎖時にドア枠との間に一時的にゴム等の弾性体を挟むことによって、強風時、マンション等の高層階における突風による突然のドアの閉鎖、それによるドアの損傷、指詰め等を防止するため、ドア１の開放と同時に突部３を突出させ、ドア１の閉鎖時にドア枠２との間に突部３を一時的に挟み、突部３を徐々に後退させてドア１を緩やかに閉鎖するドアの指詰め防止装置であって、突部３を進退可能に保持する本体５と、突部を突出方向へ付勢するコイルバネ６と、本体５を固定するコの字部材７を有してなるというものである。
【０００３】
しかしながら、特許文献１の発明では、急激な閉鎖動作を防止することはできても、ドアを少し開けたままに維持することはできないため、ドアと、ドアが閉鎖したとき周囲に位置するドア枠（以下、単に「枠」という）との間に指を挟むこと、またペットが自由に往来できるスペースを確保することができない。
【０００４】
他方、特許文献２の発明は、引き戸やドアを閉める際に、手や指を挟んでけがをしないようにできるとともに、戸本体の生産性を低下させることがない安全装置であって、開閉機構を構成する固定側手段２と可動側手段１との間に挟まれる被挟み部４、この被挟み部４に連結し、上記固定側手段あるいは上記可動側手段に取り付け可能にした取り付け部３と、上記固定側手段２と可動側手段１とに挟まれる挟み位置に、上記被挟み部を保持する位置保持手段６とを備えてなり、そして、被挟み部４は、上記位置保持手段６の保持力に抗して挟み位置から挟み位置外へ退避可能な構成としたものである。
【０００５】
しかしながら、特許文献２の発明は、扉の完全閉鎖を阻止し、指挟みを防止するものの、ドアの外側に備え付けられ、安全装置そのものを手動で操作する必要があり、操作が煩雑な上、ペットなどが自由往来するための十分なスペースを確保するためには、厚手の安全装置とする必要があり、扉の外観が損なわれ等、現実的でない。
【先行技術文献】
【特許文献】
【０００６】
【特許文献１】特開２００２−１８８３５６号公報
【特許文献２】特開２０１０−１２６９４４号公報
【発明の概要】
【発明が解決しようとする課題】
【０００７】
そこで、本発明は、扉を完全に閉鎖しないようにする扉に内蔵される扉の閉鎖防止アタッチメント、さらに扉の閉鎖防止アタッチメントを備える扉を提供することを目的とする。
【課題を解決するための手段】
【０００８】
本発明は、上記課題を解決するため、
（１）
扉側面から突出し操作されるレバーと、
前記扉内部に内蔵され前記レバーの動作をストッパーに伝達する伝達部材と、
前記伝達部材の動きに応じて前記扉から突出するとともに、前記扉の閉鎖動作のとき扉より先に枠に当接し、前記扉の完全閉鎖を阻止するストッパーと、
からなることを特徴とする扉の閉鎖防止アタッチメント。
（２）
前記ストッパーが、前記扉内部に内蔵され、前記扉に穿設された開口から突出することを特徴とする（１）に記載の扉の閉鎖防止アタッチメント。
（３）
前記ストッパーが突出し、枠に当接した際の当接力の方向と直交する板材を、前記ストッパーの末端部に備えることを特徴とする（１）又は（２）に記載の扉の閉鎖防止アタッチメント。
（４）
前記レバーの取手が、前記扉の両側面に備えられ、前記扉の内外側のいずれからも前記レバーを操作できることを特徴とする（１）〜（３）の何れかに記載の扉の閉鎖防止アタッチメント。
（５）
作用時に、前記レバーの位置を係止する保持手段を備えることを特徴とする（１）〜（４）の何れかに記載の扉の閉鎖防止アタッチメント。
（６）
前記伝達部材を位置決めするガイドを前記扉内に備えることを特徴とする（１）〜（５）の何れかに記載の扉の閉鎖防止アタッチメント。
（７）
前記ストッパーの移動をガイドするとともに位置決めする板バネを前記扉内に備え、前記板バネは、前記扉内に固定され前記ストッパーにバネ付勢を与える本体と、前記本体の先端に位置し前記ストッパーの底部に当接し移動をスムーズにカーブとからなることを特徴とする（１）〜（６）の何れかに記載の扉の閉鎖防止アタッチメント。
（８）
前記ストッパーの先端は、弾性体で、前記扉の上面板に接触する部分は湾曲させたことを特徴とする（１）〜（７）の何れかに記載の扉の閉鎖防止アタッチメント。
（９）
前記ストッパーの湾曲には、摩耗しにくく、前記弾性体より摩擦係数の低い保護材で被覆されたことを特徴とする（８）に記載の扉の閉鎖防止アタッチメント。
（１０）
前記扉に前記ストッパーの出し入れ開口を備え、前記ストッパーの出し入れに伴い前記開口を開閉する目隠しを備えることを特徴とする（１）〜（９）の何れかに記載の扉の閉鎖防止アタッチメント。
（１１）
前記ストッパーが、段階的に係止できる長さ伸縮自在としたことを特徴とする（１）〜（１０）の何れかに記載の扉の閉鎖防止アタッチメント。
（１２）
（１）〜（１１）の何れかに記載の扉の閉鎖防止アタッチメントを備えることを特徴とする閉鎖防止アタッチメントを備える扉。
（１３）
扉側面から突出し操作されるレバーと、
前記レバーの動作を伝達する前記扉内部に内蔵された伝達部材と、
前記伝達部材の動きに応じて、前記扉の上、又は／及び下が枠側に折れ曲がり、前記扉の上面又は／及び底面が前記枠に当接し、前記扉の完全閉鎖を阻止するストッパーと、
からなることを特徴とする閉鎖防止アタッチメントを備える扉。
（１４）
（１２）又は（１３）に記載の閉鎖防止アタッチメントを備える扉と、
前記ストッパーの当接部に磁石が内蔵された枠と、
先端が平坦で内部に磁石を備えた前記ストッパーと、
からなり、
前記扉の開放度を維持することを特徴とする閉鎖防止アタッチメントを備える扉ユニット。
とした。
【発明の効果】
【０００９】
本発明は、上記構成であるので、急激な扉の閉鎖動作、例えば、人の誤操作、強風による意図しない閉鎖を阻止し、指を枠と扉の間に挟み、怪我、切断などを防止する。また、少し扉を開けた状態を維持し、ペットの自由往来をも可能にすることができる。
【図面の簡単な説明】
【００１０】
【図１】本発明である扉の閉鎖防止アタッチメントを作用させていないときの断面図である。
【図２】本発明である扉の閉鎖防止アタッチメントの操作途中の断面図である。
【図３】本発明である扉の閉鎖防止アタッチメントの作用時の断面図である。
【発明を実施するための形態】
【００１１】
以下、添付図面に基づき、本発明の実施の形態について詳細に説明する。ただし、本発明はそれら実施形態に限定されるものではない。
【実施例１】
【００１２】
本発明である閉鎖防止アタッチメントを備える扉ユニット１０は、図１〜図３に示すように、ドア７が閉鎖されたときに周囲に位置する枠８と、閉鎖防止アタッチメントを備える扉９からなる。枠８は、後述のストッパー４の先端４ｃが当接する当接部８ａに磁石８ｂを備える。ここでは、開閉式のドア７の枠８について説明する。引き戸の枠も同様である。
【００１３】
閉鎖防止アタッチメントを備える扉９は、ドア７と、扉の閉鎖防止アタッチメント１からなる。ここでは、ドア７は、一側辺が枠８に兆番で接続し、押し引きして開閉するドア７であり、上部及びレバー２の部分について記載し、その他は省略した。枠８は、上部の当接部８ａ部分のみ表示した。
【００１４】
扉の閉鎖防止アタッチメント１は、レバー２と、伝達部材３と、ストッパー４と、目隠し５と、板バネ６とからなり、ストッパー４が枠８に向け突出するよう、ドア７の上部の内部に備えられ、ドア７の完全閉鎖を阻止するとともに、ドア７の開放度合いを維持するとき、レバー２でストッパー４を操作して使用される。
【００１５】
レバー２は、ドア７の内外側面に突出し、手で把持される内外取手２ａ、２ｂと、内外取手２ａ、２ｂを連結する軸２ｃとかなり、ストッパー４の使用時、解除時に操作される。なお、レバー２は、上下スライド式、回転方式が例示でき、ここでは、ドア７の上下方向に穿設された長孔である溝７ａを上下にスライドさせる方式を示した。
【００１６】
取手は、ドア７の両側面に備えられることで、ドア７の内外側面のいずれからもレバー２を操作できるため望ましい。
【００１７】
ストッパー４をドア７の開口７ｃから突出させ、維持させるには、上下方向の溝７ａに直交する横方向に穿設された溝である保持手段７ｂに、軸２ｃを位置させることで、簡易にストッパー４の作用状態を維持できる。その他、保持手段を用いてもよい。横方向の溝から軸２ｃが戻らないよう、逆止装置とその解除装置を採用してもよい。その他、横方向の溝である保持手段７ｂの末端を下方向に屈曲させることでも、レバー２が溝７ａに戻らなくなる。
【００１８】
伝達部材３は、一端がレバー２の軸２ｃに連結する金属、樹脂製の板或いは棒などである本体３ａと、本体３ａの他端に一端が連結するとともに他端がストッパー４に固定される兆番３ｂと、本体３ａに固定されストッパー４が突出したときストッパー４の底部を支え、ストッパー４の位置を保持するＬ字金具３ｃと、本体３ａの上下移動の位置決めをするドア７の内部に渡された棒或いは立設する等のガイド３ｄとからなり、ドア７の内部に内蔵され、兆番３ｂを介して、レバー２の操作をストッパー４に伝達する。
【００１９】
ストッパー４は、内部空洞４ｂで、兆番３ｂの一方が固定される本体４ａと、本体４ａの他端に固定される先端４ｃとからなり、ドア７の内部に内蔵され、伝達部材３の動きに応じて、ドア７の開口７ｃから出し入れされるとともに、突出したときに、前記扉の閉鎖動作のとき扉より先に枠８に当接し、ドア７の完全閉鎖を阻止する。なお、本体４ａは兆番３ｂを固定するため金属などが好適である。
【００２０】
勿論、ストッパー４は、同一素材で、一体成形したものを採用してもよいし、内部空洞４ｂでなくてもよい。ストッパー４の内部を空洞４ｂにすると、兆番３ｂとの接合が容易で、かつストッパー４の回動がスムーズで、ストッパー４が突出したとき、内部加工を要することなく、好適な向きに位置させることができる。
【００２１】
ここで、ストッパー４の内蔵とは、ドア７の外表面部の一部となっており、他の部分と一体的な外観的で、他の部分から突出した形状でなければ、一側面以上が、ドア７から露出している場合も含む概念である。例えば、収納時、ドア７の上下面、内外側面、又は当接面に埋没した状態でも、レバー２操作でストッパー４が回動、直動スライド等して、枠の当接方向に突出する場合などがある。
【００２２】
先端４ｃは、枠８への当接時に当接部８ａにキズを付けることがないゴム、シリコンなどの弾性体が好適である。ストッパー４は突出していないとき、すなわちストッパー４をドア７内に収納されているとき（図１）、通常のドア７のように閉鎖できる。
【００２３】
また、先端４ｃは、枠８の当接部８ａに磁石８ｂを備える場合には、先端４ｃの先端部は平坦４ｅとし内部に磁石４ｆを備えることで、当接部８ａと先端４ｃが磁着し、ドア７の開放度合いを維持することができる。その結果、適度の換気、ペットの自由往来が可能になる。
【００２４】
また、先端４ｃは、ドア７の上面板７ｄの内壁を滑り、出し入れされるため、上面板７ｄ側は湾曲４ｄさせるとよい。さらに、ストッパー４の動きをよりスムーズにするため、また摩耗を防ぐため、湾曲４ｄを弾性体より摩擦係数の低い金属、樹脂などの保護材４ｇで被覆するとよい。
【００２５】
ストッパー４は、開閉式のドア７の場合には、枠８に当接する面に開口７ｃを設け、枠８に向け突出させる。引き戸の扉の場合には、ストッパー４は、枠８に当接する面に開口７ｃを設け、枠８に向け突出させるとともに、内外側面にレバー２を備えればよい。
【００２６】
ストッパー４は、完全に突出し、枠８に当接した際とき（図３）、ストッパー４の当接方向と平行に位置し、かつストッパー４の末端部が当接力の方向と直交する方向の板材７ｅに当接することで、ストッパー４の当接時の衝撃を受け止め、簡易な扉の閉鎖防止アタッチメント１の構造であっても破損しない。
【００２７】
ストッパー４の末端部とドア７の板材７ｅまでの距離が長い場合には、ストッパー４の末端部に上面板７ｄの内壁に固定したＬ字金具などを利用する。その場合でも、Ｌ字金具は板材７ｅである。また、ストッパー４の末端部と板材７ｅとの間に介在が存在し間接的な当接であっても、板材７ｅで当接時の衝撃を受ける場合には、ストッパー４の末端部と板材７ｅとは当接すると定義する。
【００２８】
ストッパー４の動きをスムーズにするため、ストッパー４の上面板側、端部にローラなどを備えてもよい。また、伝達部材３もドア７の板材７ｅに固定されたローラに接触させ移動をスムーズにしてもよい。また、ストッパー４を、段階的に係止できる長さ伸縮自在とすれば、例えば、伸縮可能な釣り竿方式で段階的に長さ固定する係止装置を備えることで、ドア７の開放度合いを自在に調節することができる。
【００２９】
なお、ストッパー４は、ドア７の下部に備えてもよい。ドア７の下部のみにストッパー４を備える場合には、レバー２の操作方向が逆になる。ドア７の上部及び下部にストッパー４を備える場合には、下部の伝達部材３は、ギアなどを用いて逆方向の動きをさせればよい。
【００３０】
目隠し５は、例えば、開口７ｃの上部に一方が固定された兆番５ｂと、兆番５ｂで開閉するプレート５ａとかなり、必要に応じて、すなわち外観を重視する場合に設けるとよい。プレート５ａはドア７の側面と同じ高さとなるようにすれば、ストッパー４を使用しないときには、ドア７は、隙間なく通常通りに閉鎖できる。
【００３１】
板バネ６は、ドア７の内部に留具６ｃなどで固定され、ストッパー４にバネ付勢を与え移動をガイドするとともに位置決めする本体６ａと、ストッパー４の底部に当接する先端のカーブ６ｂとからなる。カーブ６ｂは、ストッパー４の回動時の遊び（ぐらつき）を防止するとともに、ストッパー４のスムーズな回動を補助する。板バネ６の先端にカーブ６ｂに変え、カーブ６ｂとともにローラを設けてもよい。
【００３２】
扉の閉鎖防止アタッチメント１を作動させるためには、図１の収納状態から、図２に示すように、レバー２を溝７ａに沿って上にスライドさせることで、伝達部材３はガイド３ｄでガイドされつつ、ストッパー４は板バネ６にガイドされ一点鎖線矢印のように、兆番３ｂの軸を支点に回動して開口７ｃからプレート５ａを押しのけ突出していく。伝達部材３の移動位置のズレが少ない場合には、ガイド３ｄを備える必要はない。
【００３３】
操作後、レバー２を保持手段７ｂの横溝に係止することで、図３に示すように、ストッパー４は、完全に突出し、枠８への当接方向と同じ向きに位置し、当接の衝撃は、ストッパー４の末端部の板材７ｅが吸収する。このとき、ストッパー４はＬ字金具３ｃに支えられ位置保持される。
【００３４】
ストッパー４を回動して、開口７ｃから出し入れするため、ストッパー４の長さによっては、開口７ｃがストッパー４の太さより長い幅となるため、Ｌ字金具３ｃ、板バネ６のカーブ６ｂによって、保持しないと、ストッパー４は当接方向と同一向きに位置保持できない。
【００３５】
ストッパー４を突出させたまま、ドア７を閉じようとすると、ドア７と枠８とに隙間が保持される。ストッパー４の長さを調節すれば、ドア７と枠８との距離（開口度合）は任意に調節することができる。また、当接部８ａの磁石８ｂと先端４ｃの磁石４ｆとが吸着し、ドア７のストッパー４の長さで開口度合いは保持される。
【００３６】
他方、ストッパー４を作用させないときは、保持手段７ｂに位置するレバー２を溝７ａの下端にスライドして位置させることで、すなわち、図３、図２、図１の手順でレバー２を元の位置に位置させることで、ストッパー４はドア７内に収納され、プレート５ａは閉じ、目隠し５で見えない。その結果、図１に示す状態になり、ドア７は、通常通り完全閉鎖することができる。
【符号の説明】
【００３７】
１    扉の閉鎖防止アタッチメント
２    レバー
２ａ  内取手
２ｂ  外取手
２ｃ  軸
３    伝達部材
３ａ  本体
３ｂ  兆番
３ｃ  Ｌ字金具
３ｄ  ガイド
４    ストッパー
４ａ  本体
４ｂ  空洞
４ｃ  先端
４ｄ  湾曲
４ｅ  平坦
４ｆ  磁石
４ｇ  保護材
５    目隠し
５ａ  プレート
５ｂ  兆番
６    板バネ
６ａ  本体
６ｂ  カーブ
６ｃ  留具
７    ドア
７ａ  溝
７ｂ  保持手段
７ｃ  開口
７ｄ  上面板
７ｅ  板材
８    枠
８ａ  当接部
８ｂ  磁石
９    閉鎖防止アタッチメントを備える扉
１０  閉鎖防止アタッチメントを備える扉ユニット
【図１】
2016094710.tif 000003
【図２】
2016094710.tif 000004
【図３】
2016094710.tif 000005